(57)【要約】【課題】布団及び布団カバー並びに布団の側生地及び中綿材の一体感を損なうことなく、布団をコンパクトに畳めるようにすること。【解決手段】袋状の側生地からなる布団カバーのカバー２又は布団の側生地１ａにベルト通し３，３，…を取付けると共に該ベルト通し３，３，…にベルト４を挿通し、ベルト４の両端部分を連結して畳んだ布団を締め付ける。【選択図】  図１
2004321298.tif 000002
【特許請求の範囲】
【請求項１】
袋状のカバー生地からなるカバーにベルト通しを取付けると共に該ベルト通しにベルトを挿通したことを特徴とする布団カバー。
【請求項２】
袋状のカバー生地からなるカバーに複数のスリットを形成すると共に該スリットにベルトを挿通したことを特徴とする布団カバー。
【請求項３】
袋状の側生地に中綿材を充填した布団において、前記側生地にベルト通しを取り付けると共に該ベルト通しにベルトを挿通したことを特徴とする布団。
【発明の詳細な説明】
【０００１】
【発明の属する技術分野】
本発明は、布団及び布団カバーに関し、より詳しくは布団をコンパクトに畳めるようにする技術に関するものである。
【０００２】
【従来の技術】
布団は、畳んで押し入れ等に収納することが一般的である。しかし、布団の中には、畳んで押入れに収納することが困難なもの（例えば、フェルト状の綿を充填した堅い敷布団や、冬用の羽毛掛け布団及びダブルサイズの布団の如く嵩高い布団など）もある。従来、堅い敷布団を畳むための技術として、例えば図１０及び図１１に示す布団カバーがある（例えば特許文献１参照）。
【０００３】
図１０の布団カバーは、カバー２１の長手辺２１ａ，２１ｂに、先端にボタン２２ａ，２２ｂ，２３ａ，２３ｂを有する紐２４ａ，２４ｂ，２５ａ，２５ｂを縫着したもので、この布団カバーを被着した布団を想像線Ｌ６で二つ折りに畳んで同じ辺の紐に設けたボタン２２ａ（２２ｂ）とボタン２３ａ（２３ｂ）が互いに噛み合って、紐２４ａ（２４ｂ）と紐２５ａ（２５ｂ）を連結するようになっている。
【０００４】
図１１の布団カバーは、カバー３１の長手辺３１ａ，３１ｂの三等分の両端部分に、先端に面ファスナー３２ａ，３２ｂ，３３ａ，３３ｂを有する紐３４ａ，３４ｂ，３５ａ，３５ｂを縫着すると共に長手辺３１ａ，３１ｂの中央部の側面に面ファスナー３６ａ，３６ｂを設けたもので、この布団カバーを被着した布団を三つ折りに畳んで（想像線Ｌ７を谷折りにし、かつ、想像線Ｌ８を山折りにする。）、各紐３４ａ，３４ｂ，３５ａ，３５ｂに設けた面ファスナー３２ａ，３２ｂ，３３ａ，３３ｂをカバー３１に設けた面ファスナー３６ａ，３６ｂに貼着するようになっている。
【０００５】
【特許文献１】
特開２０００−２８７８０６号公報
【０００６】
【発明が解決しようとする課題】
上記の各布団カバーは、カバーの両側縁に二対の紐を取付けてあるために、布団を畳んでから二対の紐を連結すると、堅い布団の復元力によってカバーが引張られるから、カバーと布団がずれたり、カバーが伸びて変形したりして布団とカバーの一体感が阻害されるという問題がある。
【０００７】
また、布団、特に嵩高い布団を押し入れ等に収納する場合には、収納スペースの都合上、布団をコンパクトに畳むことが要求される。上記の各布団カバーは、紐の長さを変更すると、嵩高い布団を畳んでから該紐によって布団を締め付けてコンパクトに畳むこともできるが、紐によってカバーが引張られるから、上記の如く布団とカバーの一体感が阻害されるという問題が生じる。
【０００８】
また、上記の各布団カバーを布団の側生地に適用すると、上記の各布団カバーを被せていない状態でも布団自体を畳んだ状態で維持できるが、この場合においても、布団の側生地が紐によって引張られるから、布団の側生地と中綿材の一体感が阻害されるという問題が生じる。
【０００９】
本発明はかかる課題に鑑み創案するに至ったものであって、その目的は、布団及び布団カバー並びに布団の側生地及び中綿材の一体感を損なうことなく、布団をコンパクトに畳めるようにすることにある。
【００１０】
【課題を解決するための手段】
本発明に係る布団カバーは、袋状のカバー生地からなるカバーにベルト通しを取付けると共に該ベルト通しにベルトを挿通したものと、袋状のカバー生地からなるカバーに複数のスリットを形成すると共に該スリットにベルトを挿通したものである。本発明の上記各布団カバーを布団に被着した状態で布団を畳み、かつ、ベルトで布団を締め付けることによって、布団をコンパクトに畳むことができる。このとき、ベルトをカバーのベルト通し又はスリットに挿通しているだけなので、ベルトで布団を締め付けてもカバーが引張られることはない。したがって、布団カバーと布団の一体感を維持しつつ布団をコンパクトに畳むことができる。
【００１１】
本発明に係る布団は、袋状の側生地に中綿材を充填した布団において、前記側生地にベルト通しを取り付けると共に該ベルト通しにベルトを挿通したことを特徴としている。本発明の上記構成によれば、畳んでからベルトで締め付けることによりコンパクトに畳むことができる。このとき、布団の側生地とベルトが一体になっていないので、ベルトで布団を締め付けても布団の側生地が引張られて布団の側生地と中綿材がずれることはない。したがって、布団の側生地と中綿材の一体感を維持しつつ布団をコンパクトに畳むことができる。
【００１２】
なお、上記の「ベルト」は、帯状のもののみならず、紐状のものも含むものとする。ベルトの素材としては、布生地、天然ゴム又は合成ゴム等の弾性素材（弾性繊維）、皮革などの可撓性非金属素材であれば、種々のものを使用できる。また、布団を締め付ける際には、ベルトの両端部分を結び付けたり、或いはベルトの両端部分に設けた適宜の連結手段によってベルトの両端部分を連結する。
【００１３】
【発明の実施の形態】
以下、図面を参照しつつ本発明に係る布団カバー及び布団の実施形態について説明する。
【００１４】
図１は、本発明の第１実施形態に係る布団カバーを例示する下面側の平面図で、図２は、図１のＡ−Ａ線断面図である。この布団カバーは、嵩高い羽毛掛け布団１（図２参照）に被着するものであって、図１及び図２の如く、袋状に形成したカバー２の下面側で、かつ、カバー２の上下方向中央部よりも下側（上側でも可）に複数のベルト通し３，３，…を横二列に配設し、各列のベルト通し３，３，…にそれぞれベルト４，４を挿通してある。両端のベルト通し３，３，…から外側へ延出した各ベルト４，４の両端部分には、それぞれ各ベルト４，４の両端部分を連結するための連結手段５ａ，５ｂを装着してある。この連結手段５ａ，５ｂは、ワンタッチ式の止め具で、布団カバーを洗濯することを考慮して非金属材料（例えば合成樹脂）で構成することが望ましい。なお、図２において、１ａは布団１の側生地、１ｂは布団１の中綿材である。
【００１５】
図３及び図４は、上記の布団カバーを用いて布団１を畳む過程を例示している。まず、本布団カバーを被着した布団１を、図１の想像線Ｌ１，Ｌ２の順で山折りにして、ベルト通し３，３，…を設けた部位が外側になるように四つ折りに畳み、図３の如く、ベルト４，４の両端部分を布団１の一側辺に集める。次に、図４の如く、各ベルト４，４の両端部分を引張って連結手段５ａ，５ｂを結合させる。これにより布団１が締め付けられ、その嵩を圧縮できる。
【００１６】
このとき、ベルト４，４をカバー２のベルト通し３，３，…に挿通しているだけなので、ベルト４，４で布団１を締め付けてもカバー２が引張られることはない。したがって、布団１と布団カバーのカバー２との一体感を維持しつつ布団１をコンパクトに畳むことができる。
【００１７】
なお、ベルト４，４を長く形成した場合は、図３の如く、布団１を畳んでから、ベルト４，４を布団１に巻回してその両端部分を布団１の適宜の位置で対向させて連結する。
【００１８】
図５は、本発明の第２実施形態に係る布団カバーを例示している。この布団カバーは、同図の如く、カバー２の上下方向中央部よりも下側の左右両側縁に２組のスリット６ａ，６ｂをそれぞれ対向させて形成すると共に、カバー２の内部下面側でかつ左右両側縁のスリット６ａ，６ｂ間に複数のベルト通し３，３，…を横２列に配設し、カバー２の内部でベルト通し３，３，…に挿通したベルト４，４の両端部分を左右両側縁のスリット６ａ，６ｂからカバー２の外部に延出させてある。なお、図５において、７はカバー２の開閉用ファスナーで、開閉用ファスナー７側のスリット６ａは、開閉用ファスナー７より内側に形成してある。
【００１９】
第２実施形態の布団カバーは、上記第１実施形態の布団カバーと同様に、布団１を締め付けてその嵩を圧縮できる上、ベルト４，４が布団カバーの表面に露出していないから、布団１や布団カバーのデザインを損なうことがない。また、寝ているユーザーの身体にベルト４，４が触れないから、ユーザーに不快感を感じさせることもない。
【００２０】
次に、本発明に係る布団について説明する。この布団は、図６の如く、袋状の側生地１ａに中綿材としての羽毛１ｂを充填した嵩高い羽毛掛け布団であって、図１及び図２で説明した布団カバーのカバー２を布団の側生地１ａとしたものである。すなわち、袋状の側生地１ａの下面側で、かつ、布団の上下方向中央部よりも下側（上側でも可）に複数のベルト通し３，３，…を横二列に配設し、各列のベルト通し３，３，…に、両端部分に連結手段５ａ，５ｂを有するベルト４，４を挿通してある。
【００２１】
この布団は、布団カバーを外した状態で、図３及び図４の如く、四つ折りに畳んでからベルト４，４で締め付けることによりコンパクトに畳むことができる。また、上記第２実施形態の布団カバーのカバー２の如く、両側縁にスリット６ａ，６ｂを設けた布団カバーであれば、布団カバーを被着した状態でもベルト４，４で締め付けることによりコンパクトに畳むことができる。
【００２２】
以上、本発明の実施形態につき説明したが、本発明は上記実施形態に限定されることなく種々の変形が可能であって、例えば、上記第１及び第２実施形態では、２本のベルト４，４をカバー２の上下方向の中央部よりも下側に配設しているが、図７のダブルサイズの布団カバーの如く、幅の広いものの場合は、ベルト通し３，３，…をカバー２の上下方向（左右方向でも可）の中央部に横一列（縦一列）で取付けて１本のベルト４をカバーの左右方向（上下方向）に配設しても構わない。幅の広い布団の場合、六つ折りに畳むこと、即ち想像線Ｌ３，Ｌ４で山折りにして上下方向（左右方向）に三つ折りに畳んでから、想像線Ｌ５で山折りにして左右方向（上下方向）に二つ折りに畳むことがあり、かかる場合には、上記の如く、カバー２の上下方向（左右方向）の中央部にベルト４を配設することで、六つ折りに畳んだ布団の中央部をベルト４で締め付けることができる。このように、ベルト４の取付け位置は、布団カバーを被着する布団のサイズや畳み方によって適宜変更しても構わない。このことは、本発明に係る布団にも共通する。
【００２３】
上記第１実施形態では、ベルト通し３，３，…を複数設けてその相互間に間隔を設けているが、図８の如く、１つのベルト通し３をカバー２の対向する二辺間の長さと同一又は略同一に形成し、前記間隔をなくすようにしても構わない。この場合、ベルト４，４がカバー２の表面に露出しないから、寝ているユーザーの身体にベルト４，４が触れてユーザーに不快感を感じさせることもない。このことは、本発明に係る布団にも共通する。
【００２４】
上記第２実施形態では、カバー２の両側縁にスリット６ａ，６ｂを対向させて形成し、かつ、カバー２の内部にベルト通し３，３，…を設けているが、図９の如く、カバー２の対向する二辺間に複数個（偶数個）のスリット６ａ，６ｂ，６ｃ，…，６ｆを横列（縦列でも可）に形成し、スリット６ａ，６ｄ，６ｆとスリット６ｃ，６ｅ，６ｂの相互間でベルト通し３，３，３を構成しても構わない。
【００２５】
上記の第１及び第２実施形態の布団カバー並び布団では、連結手段５ａ，５ｂとしてワンタッチで連結・連結解除できる止め具を示したが、連結手段としては、ボタン、鉤ホック、面ファスナー、バックル、シーリングソケットなど種々のものを使用できる。
【００２６】
また、上記の第１及び第２実施形態の布団カバー並び布団では、嵩高い羽毛掛け布団用の布団カバー及び嵩高い羽毛掛け布団を挙げて説明したが、本発明は、嵩高さや堅さ、大きさに関係なく、如何なる布団（敷き布団を含む。）の布団カバー及び如何なる布団にも適用可能である。
【００２７】
【発明の効果】
本発明に係る布団カバーは、前述の如く、袋状の側生地からなるカバーにベルト通しを取付けると共に該ベルト通しにベルトを挿通し、或いは袋状の側生地からなるカバーに複数のスリットを形成すると共に該スリットにベルトを挿通したので、本布団カバーを被着した布団を畳んでから、ベルトで布団を締め付けることによって、布団をコンパクトに畳むことができる。このとき、ベルトをカバーのベルト通し又はスリットに挿通しているだけなので、ベルトで布団を締め付けてもカバーが引張られることがなく、布団カバーと布団の一体感を維持することができる。
【００２８】
また、本発明に係る布団は、側生地にベルト通しを取り付けると共に該ベルト通しにベルトを挿通したので、畳んでからベルトで締め付けることによりコンパクトに畳むことができる。このとき、ベルトを側生地のベルト通しに挿通しているだけなので、ベルトで締め付けても布団の側生地が引張られることがなく、布団の側生地と中綿材の一体感を維持することができる。
【図面の簡単な説明】
【図１】本発明の第１実施形態に係る布団カバー又は布団を例示する下面図である。
【図２】図１のＡ−Ａ線断面図である。
【図３】本発明の布団カバーを被着した布団を四つ折りに畳んだ状態を示す斜視図である。
【図４】本発明の布団カバーを被着した布団を四つ折りに畳んでからベルトで締め付けた状態を示す斜視図である。
【図５】本発明の第２実施形態に係る布団カバーを例示する下面図である。
【図６】本発明に係る布団を示す図１のＡ−Ａ線断面図である。
【図７】本発明に係る布団カバーの変形例を示す下面図である。
【図８】本発明に係る布団カバーの変形例を示す下面図である。
【図９】本発明に係る布団カバーの変形例を示す下面図である。
【図１０】従来例の布団カバーを示す平面図である。
【図１１】従来例の布団カバーを示す平面図である。
【符号の説明】
１        布団
２        カバー
３        ベルト通し
４        ベルト
５ａ，５ｂ    連結手段
６ａ，６ｂ，…        スリット
【図１】
2004321298.tif 000003
【図２】
2004321298.tif 000004
【図３】
2004321298.tif 000005
【図４】
2004321298.tif 000006
【図５】
2004321298.tif 000007
【図６】
2004321298.tif 000008
【図７】
2004321298.tif 000009
【図８】
2004321298.tif 000010
【図９】
2004321298.tif 000011
【図１０】
2004321298.tif 000012
【図１１】
2004321298.tif 000013